【手続補正書】
【提出日】平成18年7月19日(2006.7.19)
【手続補正１】
【補正対象書類名】明細書
【補正対象項目名】特許請求の範囲
【補正方法】変更
【補正の内容】
【特許請求の範囲】
【請求項１】  一般式Ｉの化合物：
【化１】
2002521354.tif 000001
（式中、Ｒ1及びＲ2は、それぞれ、互いに独立に架橋性基を表し、
Ｓ1及びＳ2は、それぞれ、互いに独立にスペーサー単位を表し（但し、Ｒ1−Ｓ1とＲ2−Ｓ2は、−Ｏ−Ｏ−又は−Ｎ−Ｏ−基を含まない）、
Ａ、Ｃ及びＤは、
【化２】
2002521354.tif 000002
を表し、
Ｂは、
【化３】
2002521354.tif 000003
を表し（ここで、Ａ、Ｂ、Ｃ又はＤ中のフェニレン環の少なくとも一つは、１，４−フェニレン環（ここでは、１個又は２個の非隣接ＣＨ基が窒素で置換されている）で置換されていても良い）、及び、Ｌ1、Ｌ2及びＬ3は、それぞれ、互いに独立に、水素、Ｃ1-20のアルキル、Ｃ2-20のアルケニル、Ｃ1-20のアルコキシ、Ｃ2-20のアルケニルオキシ、Ｃ1-20のアルコキシカルボニル、ホルミル、Ｃ1-20のアルキルカルボニル、Ｃ1-20のアルキルカルボニルオキシ又はニトロを表し（但し、Ａ、Ｂ、Ｃ又はＤ中の少なくとも一つのフェニレン環においては、前記置換基の一つは水素以外のものである）、
ｋ、ｌ及びｍは、０又は１であり（ここで、ｋ＋ｌ＋ｍは、１又は２に等しくなければならない）、及び、
Ｚ1、Ｚ2及びＺ3は、それぞれ、互いに独立に、単結合、−ＣＨ2ＣＨ2−、−ＣＨ2Ｏ−、−ＯＣＨ2−、−ＣＯＯ−、−ＯＯＣ−、−ＣＨ＝ＣＨ−ＣＯＯ−、−ＯＯＣ−ＣＨ＝ＣＨ−、−（ＣＨ2）4−、−Ｏ（ＣＨ2）3−、−（ＣＨ2）3Ｏ−又は−Ｃ≡Ｃ−を表す）。
【請求項２】  Ｒ1及びＲ2が、それぞれ、互いに独立に、ＣＨ2＝ＣＨ−、ＣＨ2＝ＣＨ−ＣＯＯ−、ＣＨ2＝Ｃ（ＣＨ3）−ＣＯＯ−、ＣＨ2＝Ｃ（Ｃｌ）−ＣＯＯ−、ＣＨ2＝Ｃ（Ｐｈ）−ＣＯＯ−、ＣＨ2＝ＣＨ−ＣＯＯ−Ｐｈ−、ＣＨ2＝ＣＨ−ＣＯ−ＮＨ−、ＣＨ2＝Ｃ（ＣＨ3）−ＣＯＮＨ−、ＣＨ2＝Ｃ（Ｃｌ）−ＣＯＮＨ−、ＣＨ2＝Ｃ（Ｐｈ）−ＣＯＮＨ−、ＣＨ2＝Ｃ（ＣＯＯＲ′）−ＣＨ2−ＣＯＯ−、（Ｒ′ＯＯＣ）−ＣＨ2−Ｃ＝ＣＨ2−ＣＯＯ−、ＣＨ2＝ＣＨ−Ｏ−、ＣＨ2＝ＣＨ−ＯＯＣ−、ＣＨ＝ＣＨ−Ｐｈ−、シス又はトランス−ＨＯＯ−ＣＲ′＝ＣＲ′−ＣＯＯ−、シロキサン、
【化４】
2002521354.tif 000004
（式中、（Ｐｈ）は、フェニルを表し、Ｐｈは、フェニレンを表し、Ｒ′は、低級アルキルを表し、Ｒ”は、メチル、メトキシ、シアノ又はハロゲンを表す）を表す、請求項１に記載の化合物。
【請求項３】  Ｓ1及びＳ2が、それぞれ、互いに独立に、−（ＣＨ2）r−（フッ素で、任意に、モノ−又はポリ置換されていても良い）、又は、−（（ＣＨ2）2−Ｏ）r−、又は、式：−（ＣＨ2）r−Ｙ−（ＣＨ2）s−（フッ素で、任意に、モノ−又はポリ置換されていても良く、Ｙは単結合又は結合している官能基である）の鎖を含む直鎖又は分岐アルキレン基を表す、請求項１又は２に記載の化合物。
【請求項４】  結合している官能基が、−Ｏ−、−ＣＯＯ−、−ＯＯＣ−、−ＮＲ3−、−ＮＲ3−ＣＯ−、−ＣＯ−ＮＲ3−、−ＮＲ3−ＣＯＯ−、−ＣＯＯ−ＮＲ3−、−ＮＲ3−ＣＯ−ＮＲ3−、−Ｏ−ＯＣ−Ｏ−、−ＣＨ＝ＣＨ−及び−Ｃ≡Ｃ−（ここで、Ｒ3は、水素又は低級アルキルを表し、ｒ及びｓは、それぞれ、０〜２０の整数である、但し、２≦ｒ＋ｓ≦２０である）、又は−（Ｓｉ［（ＣＨ3）2］Ｏ）u−、−Ｏ（ＣＨ2）t（Ｓｉ［（ＣＨ3）2］Ｏ）uＳｉ［（ＣＨ3）2］（ＣＨ2）tＯ−又は−ＮＨ（ＣＨ2）t（Ｓｉ［（ＣＨ3）2］Ｏ）uＳｉ［（ＣＨ3）2］（ＣＨ2）tＮＨ−（ここで、ｔは、１〜１２の整数であり、ｕは、１〜１６の整数である、但し、２ｔ＋ｕ≦２０である）を含む、請求項３に記載の化合物。
【請求項５】  式：Ｉ−Ａ〜Ｉ−Ｇの、請求項１〜４の何れか一項に記載の化合物。
【化５】
2002521354.tif 000005
【化６】
2002521354.tif 000006
（式中、
Ｚ4及びＺ5は、それぞれ互いに独立に、単結合、−Ｃ≡Ｃ−、−ＣＯＯ−、又は−ＣＨ＝ＣＨ−ＣＯＯ−を表し、そして
Ｒ1、Ｒ2、Ｓ1、Ｓ2、Ｌ1、Ｌ2及びＬ3は、請求項１で定義されたものである）。
【請求項６】  式：Ｉ−Ａ−１及びＩ−Ａ−２の、請求項１〜５の何れか一項に記載の化合物。
【化７】
2002521354.tif 000007
（式中、
Ｌ1、Ｌ2及びＬ3は、夫々互いに独立に、水素、Ｃ1〜20のアルキル、Ｃ2〜20のアルケニル、Ｃ1〜20のアルコキシ又はＣ2〜20のアルケニロキシを表し（ここで、少なくとも一つの置換基は水素以外のものでなければならない）、  
Ｚ4は、−Ｃ≡Ｃ−、−ＣＯＯ−、−ＣＨ＝ＣＨ−ＣＯＯ−を表し、そして、
Ｒ1、Ｒ2、Ｓ1及びＳ2は、請求項１で定義されたものである）。
【請求項７】  式：Ｉ−Ｂ−１の、請求項１〜５の何れか一項に記載の化合物。
【化８】
2002521354.tif 000008
（式中、
Ｌ1、Ｌ2及びＬ3は、それぞれ互いに独立に、水素、Ｃ1〜20のアルキル、Ｃ2〜20のアルケニル、Ｃ1〜20のアルコキシ又はＣ2〜20のアルケニロキシを表し（ここで、少なくとも一つの置換基は水素以外のものでなければならない）、
Ｚ4は、−Ｃ≡Ｃ−、−ＣＯＯ−、−ＣＨ＝ＣＨ−ＣＯＯ−、特に−ＣＯＯ−又は−ＣＨ＝ＣＨ−ＣＯＯ−、より特定的には−ＣＯＯ−を表し、そして、
Ｒ1、Ｒ2、Ｓ1及びＳ2は、請求項１で定義されたものである）。
【請求項８】  式：Ｉ−Ｄ−１及びＩ−Ｄ−２の、請求項１〜５の何れか一項に記載の化合物。
【化９】
2002521354.tif 000009
（式中、
Ｌ1、Ｌ2及びＬ3は、それぞれ互いに独立に、水素、Ｃ1〜20のアルキル、Ｃ6〜20のアルケニル、Ｃ1〜20のアルコキシ又はＣ2〜20のアルケニロキシを表し（ここで、少なくとも一つの置換基は水素以外のものでなければならない）、
Ｚ4は、−Ｃ≡Ｃ−、−ＣＯＯ−又は−ＣＨ＝ＣＨ−ＣＯＯ−を表し、そして、
Ｒ1、Ｒ2、Ｓ1及びＳ2は、請求項１で定義されたものである）。
【請求項９】  式：Ｉ−Ｆ−１の、請求項１〜５の何れか一項に記載の化合物。
【化１０】
2002521354.tif 000010
（式中、
Ｌ1、Ｌ2及びＬ3は、それぞれ互いに独立に、水素、Ｃ1〜20のアルキル、Ｃ2〜20のアルケニル、Ｃ1〜20のアルコキシ又はＣ2〜20のアルケニロキシを表し（ここで、少なくとも一つの置換基は水素以外のものでなければならない）、
Ｚ4は、−Ｃ≡Ｃ−、−ＣＯＯ−又は−ＣＨ＝ＣＨ−ＣＯＯ−を表し、
Ｚ5は、単結合、−ＣＯＯ−又は−ＣＨ＝ＣＨ−ＣＯＯ−を表し、そして、
Ｒ1、Ｒ2、Ｓ1及びＳ2は、請求項１で定義されたものである）。
【請求項１０】  式：Ｉ−Ｇ−１の、請求項１〜５の何れか一項に記載の化合物。
【化１１】
2002521354.tif 000011
（式中、
Ｌ1、Ｌ2及びＬ3は、それぞれ互いに独立に、水素、Ｃ1〜20のアルキル、Ｃ2〜20のアルケニル、Ｃ1〜20のアルコキシ又はＣ2〜20のアルケニロキシを表し（ここで、少なくとも一つの置換基は水素以外のものでなければならない）、
Ｚ4は、−Ｃ≡Ｃ−、−ＣＯＯ−、−ＣＨ＝ＣＨ−ＣＯＯ−を表し、そして、  Ｒ1、Ｒ2、Ｓ1及びＳ2は、請求項１で定義されたものである）。
【請求項１１】  基：
【化１２】
2002521354.tif 000012
が、
【化１３】
2002521354.tif 000013
（式中、
Ｌ11及びＬ12は、それぞれ互いに独立に、Ｃ1〜20のアルキル、Ｃ2〜20のアルケニル、Ｃ1〜20のアルコキシ又はＣ2〜20のアルケニロキシを表す）で定義される、請求項６〜１０の何れか一項に記載の化合物。
【請求項１２】  少なくとも二つの成分を含み、その内の少なくとも一つの成分が請求項１〜１１の何れか一項に記載の化合物である事を特徴とする架橋性液晶混合物。
【請求項１３】  該液晶混合物が、請求項１〜１１の一種以上の化合物に加えて、次式の群の一種以上の化合物を含む、請求項１２に記載の架橋性液晶混合物。
【化１４】
2002521354.tif 000014
【化１５】
2002521354.tif 000015
（式中、
Ｒ4は、重合性基を表し、
Ｓ3及びＳ4は、それぞれ互いに独立に、−（ＣＨ2）n−又は−Ｏ（ＣＨ2）n−を表し、
Ｅ1及びＥ2は、夫々互いに独立に、１，４−フェニレン、トランス−１，４−シクロヘキシレン、ピリジン−２，５−ジイル、ピリミジン−２，５−ジイル、又はトランス−１，４−シクロヘキシレン−１，４−フェニレンを表し、
Ｆ1及びＦ2は、それぞれ互いに独立に、１，４−フェニレン又は２−又は３−フルオロ−１，４−フェニレンを表し、
Ｌ4、Ｌ5及びＬ6は、それぞれ互いに独立に、水素、Ｃ1〜20のアルキル、Ｃ2〜20のアルケニル、Ｃ1〜20のアルコキシ、Ｃ1〜20のアルコキシカルボニル、ホルミル、Ｃ1〜20のアルキルカルボニル、Ｃ1〜20のアルキルカルボニロキシ、ハロゲン、シアノ又はニトロを表し、
それぞれのＺ6は、互いに独立に、−ＣＯＯ−、−ＯＯＣ−、−ＯＣＨ2−、−ＣＨ2Ｏ−、−Ｏ（ＣＨ2）3−、−ＯＯＣ（ＣＨ2）2−又は−ＣＯＯ（ＣＨ2）3−を表し、
Ｚ7は、単結合、−ＣＨ2ＣＨ2−、−ＣＨ2Ｏ−、−ＯＣＨ2−、−ＣＯＯ−、−ＯＯＣ−、−（ＣＨ2）4−、−Ｏ（ＣＨ2）3−、−（ＣＨ2）3Ｏ−又は−Ｃ≡Ｃ−を表し、
Ｚ8は、単結合、−ＣＨ2ＣＨ2−、−ＣＨ2Ｏ−、−ＯＣＨ2−、−ＣＯＯ−、−ＯＯＣ−又は−Ｃ≡Ｃ−を表し、
それぞれのＸは、互いに独立に、水素、Ｃ1〜20のアルキル、Ｃ2〜20のアルケニル、Ｃ1〜20のアルコキシ、Ｃ1〜20のアルコキシカルボニル、ホルミル、Ｃ1〜20のアルキルカルボニル、Ｃ1〜20のアルキルカルボニロキシ、フッ素、塩素、臭素、シアノ又はニトロを表し、
夫々のｎは、互いに独立に、２〜２０の整数を表し、そして、
ｖは、２〜１２の整数を表す）。
【請求項１４】  Ｒ4が、ＣＨ2＝ＣＨ−、ＣＨ2＝ＣＨ−Ｏ−、ＣＨ2＝ＣＨ−ＣＯＯ−、ＣＨ2＝Ｃ（ＣＨ3）−ＣＯＯ−、ＣＨ2＝Ｃ（Ｃｌ）−ＣＯＯ−又は
【化１６】
2002521354.tif 000016
から成る重合性基を表す、請求項１３に記載の架橋性液晶混合物。
【請求項１５】  請求項１〜１１の何れか一項に記載の化合物を含む事を特徴とする光学又は電気光学装置。
【請求項１６】  請求項１２〜１４の何れか一項に記載の架橋性液晶混合物を含む事を特徴とする光学又は電気光学装置。
【請求項１７】  光学又は電気光学装置における架橋された状態での請求項１〜１１の何れか一項に記載の化合物の使用。
【請求項１８】  光学又は電気光学装置における架橋された状態での請求項１２〜１４の何れか一項に記載の架橋性液晶混合物の使用。